【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
第１のアドホック通信ネットワーク内でのリーフデバイスによるワイヤレス通信の方法であって、
前記第１のアドホック通信ネットワークについて発見間隔およびページング間隔を決定することと、
デバイスによって、メッセージが転送された回数を識別する前記メッセージを前記第１のアドホック通信ネットワークから受信することと、
前記メッセージが転送された前記回数がしきい値を超えることに応答して、アウェイク状態に留まり、前記発見間隔およびページング間隔の外でメッセージを処理することと、ここにおいて、前記発見窓およびページング間隔の外でメッセージを処理することは、前記デバイスによって、他のアドホックネットワークを走査することと、前記走査することに基づいて第２のアドホックネットワークに加入することとを備える、
前記メッセージが転送された前記回数が前記しきい値未満であることに応答して、前記発見間隔および前記ページング間隔の外でスリープ状態に入ることと
を備える方法。
【請求項２】
前記受信されたメッセージが転送された前記回数を増分することと、前記識別された数が最大ホップ数未満である場合、前記受信されたメッセージを転送することとをさらに備える、請求項１に記載の方法。
【請求項３】
前記識別された数が最大ホップ数以上である場合、前記メッセージを転送しないことをさらに備える、請求項１に記載の方法。
【請求項４】
前記選択的走査に基づいて、第２のアドホックネットワークに加入することをさらに備える、請求項１に記載の方法。
【請求項５】
前記識別された回数が最大ホップ数以上である場合、前記デバイスが前記アドホックネットワークのリーフデバイスである、請求項１に記載の方法。
【請求項６】
前記受信されたメッセージがルートデバイスによって送信された同期メッセージを備える、請求項１に記載の方法。
【請求項７】
選択的に走査するかどうかがさらに構成データに基づいている、請求項１に記載の方法デバイス。
【請求項８】
他のアドホックネットワークを選択的に走査することが、前記アドホック通信ネットワークに関する可用性窓の外でメッセージを受信することを備える、請求項１に記載の方法。
【請求項９】
前記選択的走査が前記デバイスの残りのバッテリー寿命に基づいている、請求項１に記載の方法。
【請求項１０】
他のアドホックネットワークを選択的に走査することが、前記可用性窓の外で受信された特定の発見パケットまたは他のメッセージが構成データによって定義された基準に整合するかどうかを決定することをさらに備える、請求項８に記載の方法。
【請求項１１】
第１のアドホック通信ネットワーク内でのワイヤレス通信のためのリーフデバイスであって、
前記第１のアドホック通信ネットワークについて発見間隔およびページング間隔を決定するように構成されたプロセッサと
メッセージが転送された回数を識別する前記メッセージを前記アドホック通信ネットワークから受信するように構成された受信機と
を備え、前記プロセッサは、
前記メッセージが転送された前記回数がしきい値を超えることに応答して、アウェイク状態に留まり、前記発見間隔およびページング間隔の外でメッセージを処理することと、ここにおいて、前記発見窓およびページング間隔の外でメッセージを処理することは、前記識別された数が最大ホップ数以上であることに応答して、他のアドホックネットワークを走査することと、前記走査することに基づいて第２のアドホックネットワークに加入することとを備える、
前記メッセージが転送された前記回数が前記しきい値未満であることに応答して、前記発見間隔および前記ページング間隔の外でスリープ状態に入ることと
を行うように構成される、デバイス。
【請求項１２】
前記プロセッサが、
前記受信されたメッセージが転送された前記回数を増分し、前記識別された数が最大ホップ数未満である場合、前記受信されたメッセージを転送するようにさらに構成される、請求項１１に記載のデバイス。
【請求項１３】
前記プロセッサが、前記識別された数が最大ホップ数以上である場合、前記メッセージを転送しないようにさらに構成される、請求項１１に記載のデバイス。
【請求項１４】
前記プロセッサが、前記選択的走査に基づいて、第２のアドホックネットワークに加入するようにさらに構成される、請求項１１に記載のデバイス。
【請求項１５】
前記デバイスは、前記識別された回数が最大ホップ数以上である場合、前記アドホックネットワークのリーフデバイスである、請求項１１に記載のデバイス。
【請求項１６】
前記受信されたメッセージがルートデバイスによって送信された同期メッセージを備える、請求項１１に記載のデバイス。
【請求項１７】
選択的に走査するかどうかがさらに構成データに基づく、請求項１１に記載のデバイス。
【請求項１８】
前記プロセッサが、前記アドホック通信ネットワークに関する可用性窓の外でメッセージを受信することによって、他のアドホックネットワークを選択的に走査するようにさらに構成される、請求項１１に記載のデバイス。
【請求項１９】
前記選択的走査が前記デバイスの残りのバッテリー寿命に基づいている、請求項１１に記載のデバイス。
【請求項２０】
前記プロセッサが、前記可用性窓の外で受信された特定の発見パケットまたは他のメッセージが構成データによって定義された基準に整合するかどうかを決定することによって、選択的に走査するようにさらに構成される、請求項１８に記載のデバイス。
【請求項２１】
アドホック通信ネットワーク内でのワイヤレス通信のためのリーフデバイスであって、
前記第１のアドホック通信ネットワークについて発見間隔およびページング間隔を決定するための手段と、
メッセージが転送された回数を識別する前記メッセージを前記アドホック通信ネットワークから受信するための手段と、
前記メッセージが転送された前記回数がしきい値を超えることに応答して、アウェイク状態に留まり、前記発見間隔およびページング間隔の外でメッセージを処理するための手段と、ここにおいて、前記発見窓およびページング間隔の外でメッセージを処理することは、前記デバイスによって、他のアドホックネットワークを走査し、前記走査することに基づいて第２のアドホックネットワークに加入するための手段を備える、
前記メッセージが転送された前記回数が前記しきい値未満であることに応答して、前記発見間隔および前記ページング間隔の外でスリープ状態に入るための手段と
を備えるデバイス。
【請求項２２】
前記受信されたメッセージが転送された前記回数を増分し、前記識別された数が最大ホップ数未満である場合、前記受信されたメッセージを転送するための手段をさらに備える、請求項２１に記載のデバイス。
【請求項２３】
前記識別された数が最大ホップ数以上である場合、前記メッセージを転送しないための手段をさらに備える、請求項２１に記載のデバイス。
【請求項２４】
前記選択的走査に基づいて、第２のアドホックネットワークに加入するための手段をさらに備える、請求項２１に記載のデバイス。
【請求項２５】
前記デバイスは、前記識別された回数が最大ホップ数以上である場合、前記アドホックネットワークのリーフデバイスである、請求項２１に記載のデバイス。
【請求項２６】
前記受信されたメッセージがルートデバイスによって送信された同期メッセージを備える、請求項２１に記載のデバイス。
【請求項２７】
選択的に走査するための前記手段が、前記アドホック通信ネットワークに関する可用性窓の外でメッセージを受信することによって、他のアドホックネットワークを選択的に走査する、請求項２１に記載のデバイス。
【請求項２８】
選択的走査のための前記手段が、前記選択的走査を前記デバイスの残りのバッテリー寿命に基づかせるように構成される、請求項２１に記載のデバイス。
【請求項２９】
選択的に走査するための前記手段が、前記可用性窓の外で受信された特定の発見パケットまたは他のメッセージが構成データによって定義された基準に整合するかどうかを決定する、請求項２７に記載のデバイス。
【請求項３０】
実行されたとき、プロセッサにアドホック通信ネットワーク内でリーフデバイスによるワイヤレス通信の方法を実行させる命令を備える非一時的コンピュータ可読媒体であって、前記方法が、
前記第１のアドホック通信ネットワークについて発見間隔およびページング間隔を決定することと、
デバイスによって、メッセージが転送された回数を識別する前記メッセージを前記第１のアドホック通信ネットワークから受信することと、
前記メッセージが転送された前記回数がしきい値を超えることに応答して、アウェイク状態に留まり、前記発見間隔およびページング間隔の外でメッセージを処理することと、ここにおいて、前記発見窓およびページング間隔の外でメッセージを処理することは、前記デバイスによって、他のアドホックネットワークを走査することと、前記走査することに基づいて第２のアドホックネットワークに加入することとを備える、
前記メッセージが転送された前記回数が前記しきい値未満であることに応答して、前記発見間隔および前記ページング間隔の外でスリープ状態に入ることと
を備える、非一時的コンピュータ可読媒体。
【請求項３１】
前記受信されたメッセージが転送された前記回数を増分することと、前記識別された数が最大ホップ数未満である場合、前記受信されたメッセージを転送することとをさらに備える、請求項３０に記載の非一時的コンピュータ可読媒体。
【請求項３２】
前記識別された数が最大ホップ数以上である場合、前記メッセージを転送しないことをさらに備える、請求項３０に記載の非一時的コンピュータ可読媒体。
【請求項３３】
前記方法が、前記選択的走査に基づいて、第２のアドホックネットワークに加入することをさらに備える、請求項３０に記載の非一時的コンピュータ可読媒体。
【請求項３４】
前記識別された回数が最大ホップ数以上である場合、前記デバイスが前記アドホックネットワークのリーフデバイスである、請求項３０に記載の非一時的コンピュータ可読媒体。
【請求項３５】
前記受信されたメッセージがルートデバイスによって送信された同期メッセージを備える、請求項３０に記載の非一時的コンピュータ可読媒体。
【請求項３６】
選択的に走査するかどうかがさらに構成データに基づく、請求項３０に記載の非一時的コンピュータ可読媒体デバイス。
【請求項３７】
他のアドホックネットワークを選択的に走査することが、前記アドホック通信ネットワークに関する可用性窓の外でメッセージを受信することを備える、請求項３０に記載の非一時的コンピュータ可読媒体。
【請求項３８】
他のアドホックネットワークを選択的に走査することが、前記可用性窓の外で受信された特定の発見パケットまたは他のメッセージが構成データによって定義された基準に整合するかどうかを決定することをさらに備える、請求項３７に記載の非一時的コンピュータ可読媒体。
【請求項３９】
アドホックネットワーク上のワイヤレス通信の方法であって、
前記第１のアドホック通信ネットワークについて発見間隔およびページング間隔を決定することと、
第１のデバイスによって、第１のアドホックネットワークのルートデバイスの地理的位置を識別するメッセージを受信することと、
前記第１のデバイスによって、前記第１のデバイスの地理的位置を決定することと、
前記ルートデバイスの前記地理的位置と、前記第１のデバイスの前記地理的位置との間の距離を決定することと、
前記距離が距離しきい値を超えることに応答して、アウェイク状態に留まり、前記発見間隔およびページング間隔の外でメッセージを処理することと、ここにおいて、前記発見窓およびページング間隔の外でメッセージを処理することは、前記デバイスによって、他のアドホックネットワークを走査することと、前記走査することに基づいて第２のアドホックネットワークに加入することとを備える、
前記距離が前記距離しきい値未満であることに応答して、前記発見間隔および前記ページング間隔の外でスリープ状態に入ることと
を備える方法。
【請求項４０】
前記第１のデバイスと前記ルートデバイスとの間の前記距離がしきい値距離を超える場合、前記選択的走査が実行される、請求項３９に記載の方法。
【請求項４１】
前記選択的走査の結果として、第２のアドホックネットワークに加入することをさらに備える、請求項４０に記載の方法。
【請求項４２】
前記選択的走査がさらに前記第１のデバイスの残りのバッテリー寿命に基づいている、請求項３９に記載の方法。
【請求項４３】
前記第２のアドホックネットワークに関する窓スケジュールを決定することと、
前記第１のアドホックネットワーク上で発見メッセージを送信することと、前記発見メッセージは前記窓スケジュールを示す
をさらに備える、請求項４１に記載の方法。
【請求項４４】
前記プロセッサは、前記装置の残りのバッテリー寿命に基づいて選択的に走査するようにさらに構成される、請求項４１に記載の装置。
【請求項４５】
アドホックネットワーク上のワイヤレス通信のための装置であって、
前記第１のアドホック通信ネットワークについて発見間隔およびページング間隔を決定するように構成されたプロセッサと、
第１のアドホックネットワークのルートデバイスの地理的位置を識別するメッセージを受信するように構成された受信機と、
を備え、前記プロセッサは、
前記第１のデバイスの地理的位置を決定することと、
前記ルートデバイスの前記地理的位置と、前記第１のデバイスの前記地理的位置との間の距離を決定することと、
前記距離が距離しきい値を超えることに応答して、アウェイク状態に留まり、前記発見窓およびページング間隔の外でメッセージを処理することと、ここにおいて、前記発見窓およびページング間隔の外でメッセージを処理することは、前記デバイスによって、他のアドホックネットワークを走査することと、前記走査することに基づいて第２のアドホックネットワークに加入することとを備える、
前記距離が前記距離しきい値未満であることに応答して、前記発見間隔および前記ページング間隔の外でスリープ状態に入ることと
を行うように構成さる、装置。
【請求項４６】
前記第１のデバイスと前記ルートデバイスとの間の前記距離がしきい値距離を超える場合、前記選択的走査が実行される、請求項４５に記載の装置。
【請求項４７】
前記選択的走査の結果として、第２のアドホックネットワークに加入するように構成されたプロセッサをさらに備える、請求項４６に記載の装置。
【請求項４８】
前記第２のアドホックネットワークに関する窓スケジュールを決定するように構成されたプロセッサと、
前記第１のアドホックネットワーク上で発見メッセージを送信するように構成された送信機と、前記発見メッセージは前記窓スケジュールを示す
をさらに備える、請求項４７に記載の装置。
【請求項４９】
アドホックネットワーク上のワイヤレス通信のための装置であって、
前記第１のアドホック通信ネットワークについて発見間隔およびページング間隔を決定するための手段、および第１のアドホックネットワークのルートデバイスの地理的位置を識別するメッセージを受信するための手段と、
前記第１のデバイスの地理的位置を決定するための手段と、
前記ルートデバイスの前記地理的位置と、前記第１のデバイスの前記地理的位置との間の距離を決定するための手段と、
前記距離が距離しきい値を超えることに応答して、アウェイク状態に留まり、前記発見窓およびページング間隔の外でメッセージを処理するための手段と、ここにおいて、前記発見窓およびページング間隔の外でメッセージを処理することは、他のアドホックネットワークを走査することと、前記走査することに基づいて第２のアドホックネットワークに加入することとを備える、
前記距離が前記距離しきい値未満であることに応答して、前記発見間隔および前記ページング間隔の外でスリープ状態に入るための手段と
を備える装置。
【請求項５０】
前記第１のデバイスと前記ルートデバイスとの間の前記距離がしきい値距離を超える場合、前記選択的走査が実行される、請求項４９に記載の装置。
【請求項５１】
前記選択的走査の結果として、第２のアドホックネットワークに加入するための手段をさらに備える、請求項５０に記載の装置。
【請求項５２】
前記第２のアドホックネットワークに関する窓スケジュールを決定するための手段と、
前記第１のアドホックネットワーク上で発見メッセージを送信するための手段と、前記発見メッセージは前記窓スケジュールを示す
をさらに備える、請求項５１に記載の装置。
【請求項５３】
選択的に走査するための前記手段が、前記装置の残りのバッテリー寿命に基づいて、選択的に走査するように構成される、請求項５１に記載の装置。
【請求項５４】
実行されたとき、プロセッサにアドホックネットワーク上でワイヤレス通信の方法を実行させる命令を備える非一時的コンピュータ可読媒体であって、前記方法が、
前記第１のアドホック通信ネットワークについて発見間隔およびページング間隔を決定することと、
第１のデバイスによって、第１のアドホックネットワークのルートデバイスの地理的位置を識別するメッセージを受信することと、
前記第１のデバイスによって、前記第１のデバイスの地理的位置を決定することと、
前記ルートデバイスの前記地理的位置と、前記第１のデバイスの前記地理的位置との間の距離を決定することと、
前記距離が距離しきい値を超えることに応答して、アウェイク状態に留まり、前記発見窓およびページング間隔の外でメッセージを処理することと、ここにおいて、前記発見窓およびページング間隔の外でメッセージを処理することは、前記デバイスによって、他のアドホックネットワークを走査することと、前記走査することに基づいて第２のアドホックネットワークに加入することとを備える、
前記距離が前記距離しきい値未満であることに応答して、前記発見間隔および前記ページング間隔の外でスリープ状態に入ることと
を備える、非一時的コンピュータ可読媒体。
【請求項５５】
前記第１のデバイスと前記ルートデバイスとの間の前記距離がしきい値距離を超える場合、前記選択的走査が実行される、請求項５４に記載の非一時的コンピュータ可読媒体。
【請求項５６】
前記方法が、前記選択的走査の結果として、第２のアドホックネットワークに加入することをさらに備える、請求項５５に記載の非一時的コンピュータ可読媒体。
【請求項５７】
前記方法が、
前記第２のアドホックネットワークに関する窓スケジュールを決定することと、
前記第１のアドホックネットワーク上で発見メッセージを送信することと、前記発見メッセージは前記窓スケジュールを示す
をさらに備える、請求項５６に記載の非一時的コンピュータ可読媒体。
【請求項５８】
前記選択的走査が残りのバッテリー寿命に基づいている、請求項５６に記載の非一時的コンピュータ可読媒体。
【請求項５９】
第１のアドホックネットワーク上のワイヤレス通信の方法であって、
デバイスによって、前記第１のアドホックネットワークに加入することと、
前記第１のアドホックネットワークから同期メッセージを受信することと、前記同期メッセージは、前記第１のアドホックネットワークに関する第１の窓スケジュールを示し、前記窓スケジュールは、前記第１のアドホックネットワークのノード間で通信が発生する第１の可用性窓についての第１のタイミング基準を示す、
第２のアドホックネットワークから同期メッセージを受信することと、前記同期メッセージは、第２の窓スケジュールを示し、前記第２の窓スケジュールは、前記第２のアドホックネットワークのノード間で通信が発生する第２の可用性窓についての第２のタイミング基準を提供する、
前記デバイスによって、前記第１のアドホックネットワーク上で発見メッセージを送信することと、前記発見メッセージは前記第２のアドホックネットワークに関する前記第２の窓スケジュールを示す
を備える方法。
【請求項６０】
前記デバイスによって、第３のアドホックネットワークに関する第２の窓スケジュールを決定することをさらに備え、ここにおいて、前記発見メッセージは前記第２の窓スケジュールを示す、請求項５９に記載の方法。
【請求項６１】
第１のアドホックネットワーク上のワイヤレス通信のための装置であって、
前記アドホックネットワークに加入するように構成されたプロセッサと、
前記第１のアドホックネットワークから同期メッセージを受信し、前記同期メッセージは、前記第１のアドホックネットワークに関する第１の窓スケジュールを示し、前記窓スケジュールは、前記第１のアドホックネットワークのノード間で通信が発生する第１の可用性窓についての第１のタイミング基準を示す、
第２のアドホックネットワークから同期メッセージを受信する、前記同期メッセージは、第２の窓スケジュールを示し、前記第２の窓スケジュールは、前記第２のアドホックネットワークのノード間で通信が発生する第２の可用性窓についての第２のタイミング基準を提供する、
ように構成されたプロセッサと、
前記第１のアドホックネットワーク上で発見メッセージを送信するように構成された送信機と、前記発見メッセージは前記第２のアドホックネットワークに関する前記第２の窓スケジュールを示す
を備える装置。
【請求項６２】
第３のアドホックネットワークに関する第２の窓スケジュールを決定するように構成されたプロセッサをさらに備え、ここにおいて、前記送信機は、前記第２の窓スケジュールをさらに示す前記発見メッセージを送信するように構成される、請求項６１に記載の装置。
【請求項６３】
第１のアドホックネットワーク上のワイヤレス通信のための装置であって、
前記アドホックネットワークに加入するための手段と、
前記第１のアドホックネットワークから同期メッセージを受信するための手段と、前記同期メッセージは、前記第１のアドホックネットワークに関する第１の窓スケジュールを示し、前記窓スケジュールは、前記第１のアドホックネットワークのノード間で通信が発生する第１の可用性窓についての第１のタイミング基準を示す、
第２のアドホックネットワークから同期メッセージを受信するための手段と、前記同期メッセージは、第２の窓スケジュールを示し、前記第２の窓スケジュールは、前記第２のアドホックネットワークのノード間で通信が発生する第２の可用性窓についての第２のタイミング基準を提供する、
前記第１のアドホックネットワーク上で発見メッセージを送信するための手段と、前記発見メッセージは前記第２のアドホックネットワークに関する前記第２の窓スケジュールを示す
を備える装置。
【請求項６４】
第３のアドホックネットワークに関する第２の窓スケジュールを決定するための手段をさらに備え、ここにおいて、送信するための前記手段は、前記第２の窓スケジュールをさらに示す前記発見メッセージを送信するように構成される、請求項６３に記載の装置。
【請求項６５】
実行されたとき、プロセッサに第１のアドホックネットワーク上のワイヤレス通信の方法を実行させる命令を備える非一時的コンピュータ可読媒体であって、前記方法が、
前記アドホックネットワークに加入することと、
前記第１のアドホックネットワークから同期メッセージを受信することと、前記同期メッセージは、前記第１のアドホックネットワークに関する第１の窓スケジュールを示し、前記窓スケジュールは、前記第１のアドホックネットワークのノード間で通信が発生する第１の可用性窓についての第１のタイミング基準を示す、
第２のアドホックネットワークから同期メッセージを受信することと、前記同期メッセージは、第２の窓スケジュールを示し、前記第２の窓スケジュールは、前記第２のアドホックネットワークのノード間で通信が発生する第２の可用性窓についての第２のタイミング基準を提供する、
前記第１のアドホックネットワーク上で発見メッセージを送信することと、前記発見メッセージは前記第２のアドホックネットワークに関する前記第２の窓スケジュールを示す
を備える、非一時的コンピュータ可読媒体。
【請求項６６】
前記方法が、第３のアドホックネットワークに関する第２の窓スケジュールを決定することをさらに備え、ここにおいて、前記発見メッセージは前記第２の窓スケジュールを示す、請求項６５に記載の非一時的コンピュータ可読媒体。
【手続補正２】
【補正対象書類名】明細書
【補正対象項目名】０１１７
【補正方法】変更
【補正の内容】
【０１１７】
[0133]  同様に、動作は特定の順序で図面に示されているが、これは、望ましい結果を達成するために、そのような動作が、示される特定の順序でもしくは順番に実行されることを、またはすべての図示の動作が実行されることを必要とするものとして理解されるべきでない。いくつかの状況では、マルチタスキングおよび並列処理が有利であり得る。その上、上記で説明した実装形態における様々なシステム構成要素の分離は、すべての実装形態においてそのような分離を必要とするものとして理解されるべきでなく、説明するプログラム構成要素およびシステムは、概して、単一のソフトウェア製品において互いに一体化されるか、または複数のソフトウェア製品にパッケージングされ得ることを理解されたい。さらに、他の実装形態が以下の特許請求の範囲内に入る。場合によっては、特許請求の範囲に記載の行為は、異なる順序で実行され、依然として望ましい結果を達成することができる。
以下に本願発明の当初の特許請求の範囲に記載された発明を付記する。
［Ｃ１］
アドホック通信ネットワーク内でのリーフデバイスによるワイヤレス通信のための方法であって、
デバイスによって、メッセージが転送された回数を識別する前記メッセージを前記アドホック通信ネットワークから受信することと、
前記デバイスによって、前記識別された数に基づいて、他のアドホックネットワークを選択的に走査することとを備える方法。
［Ｃ２］
前記識別された数が最大ホップ数以上である場合、前記選択的走査が実行される、Ｃ１に記載の方法。
［Ｃ３］
前記受信されたメッセージが転送された前記回数を増分することと、前記識別された数が最大ホップ数未満である場合、前記受信されたメッセージを転送することとをさらに備える、Ｃ１に記載の方法。
［Ｃ４］
前記識別された数が最大ホップ数以上である場合、前記メッセージを転送しないことをさらに備える、Ｃ１に記載の方法。
［Ｃ５］
前記選択的走査に基づいて、第２のアドホックネットワークに加入することをさらに備える、Ｃ１に記載の方法。
［Ｃ６］
前記識別された回数が最大ホップ数以上である場合、前記デバイスが前記アドホックネットワークのリーフデバイスである、Ｃ１に記載の方法。
［Ｃ７］
前記受信されたメッセージがルートデバイスによって送信された同期メッセージを備える、Ｃ１に記載の方法。
［Ｃ８］
選択的に走査するかどうかがさらに構成データに基づいている、Ｃ１に記載の方法。
［Ｃ９］
他のアドホックネットワークを選択的に走査することが、前記アドホック通信ネットワークに関する可用性窓の外でメッセージを受信することを備える、Ｃ１に記載の方法。
［Ｃ１０］
他のアドホックネットワークを選択的に走査することが、前記可用性窓の外で受信された特定の発見パケットまたは他のメッセージが構成データによって定義された基準に整合するかどうかを決定することをさらに備える、Ｃ９に記載の方法。
［Ｃ１１］
前記選択的に走査することが前記デバイスの残りのバッテリー寿命に基づいている、Ｃ１に記載の方法。
［Ｃ１２］
アドホック通信ネットワーク内でのワイヤレス通信のためのリーフデバイスであって、
メッセージが転送された回数を識別する前記メッセージを前記アドホック通信ネットワークから受信するように構成された受信機と、
前記識別された数に基づいて、他のアドホックネットワークを選択的に走査するように構成されたプロセッサとを備えるデバイス。
［Ｃ１３］
前記プロセッサが、前記識別された数が最大ホップ数以上である場合、他のアドホックネットワークを走査するようにさらに構成される、Ｃ１２に記載のデバイス。
［Ｃ１４］
前記プロセッサが、
前記受信されたメッセージが転送された回数を増分し、前記識別された数が最大ホップ数未満である場合、前記受信されたメッセージを転送するようにさらに構成される、Ｃ１２に記載のデバイス。
［Ｃ１５］
前記プロセッサが、前記識別された数が最大ホップ数以上である場合、前記メッセージを転送しないようにさらに構成される、Ｃ１２に記載のデバイス。
［Ｃ１６］
前記プロセッサが、前記選択的走査に基づいて、第２のアドホックネットワークに加入するようにさらに構成される、Ｃ１２に記載のデバイス。
［Ｃ１７］
前記識別された回数が最大ホップ数以上である場合、前記アドホックネットワークのリーフデバイスである、Ｃ１２に記載のデバイス。
［Ｃ１８］
前記受信されたメッセージがルートデバイスによって送信された同期メッセージを備える、Ｃ１２に記載のデバイス。
［Ｃ１９］
選択的に走査するかどうかがさらに構成データに基づく、Ｃ１２に記載のデバイス。
［Ｃ２０］
前記プロセッサが、前記アドホック通信ネットワークに関する可用性窓の外でメッセージを受信することによって、他のアドホックネットワークを選択的に走査するようにさらに構成される、Ｃ１２に記載のデバイス。
［Ｃ２１］
前記プロセッサが、前記可用性窓の外で受信された特定の発見パケットまたは他のメッセージが構成データによって定義された基準に整合するかどうかを決定することによって、選択的に走査するようにさらに構成される、Ｃ２０に記載のデバイス。
［Ｃ２２］
前記選択的に走査することが前記デバイスの残りのバッテリー寿命に基づいている、Ｃ１２に記載のデバイス。
［Ｃ２３］
アドホック通信ネットワーク内でのワイヤレス通信のためのリーフデバイスであって、
メッセージが転送された回数を識別する前記メッセージを前記アドホック通信ネットワークから受信するための手段と、
前記識別された数に基づいて、他のアドホックネットワークを選択的に走査するための手段とを備えるデバイス。
［Ｃ２４］
選択的に走査するための前記手段が、前記識別された数が最大ホップ数以上である場合、他のアドホックネットワークを選択的に走査する、Ｃ２３に記載のデバイス。
［Ｃ２５］
前記受信されたメッセージが転送された前記回数を増分し、前記識別された数が最大ホップ数未満である場合、前記受信されたメッセージを転送するための手段さらに備える、Ｃ２３に記載のデバイス。
［Ｃ２６］
前記識別された数が最大ホップ数以上である場合、前記メッセージを転送しないための手段をさらに備える、Ｃ２３に記載のデバイス。
［Ｃ２７］
前記選択的走査に基づいて、第２のアドホックネットワークに加入するための手段をさらに備える、Ｃ２３に記載のデバイス。
［Ｃ２８］
前記識別された回数が最大ホップ数以上である場合、前記アドホックネットワークのリーフデバイスである、Ｃ２３に記載のデバイス。
［Ｃ２９］
前記受信されたメッセージがルートデバイスによって送信された同期メッセージを備える、Ｃ２３に記載のデバイス。
［Ｃ３０］
前記識別された数に基づいて、選択的に走査するかどうかを構成するための手段をさらに備える、Ｃ２３に記載のデバイス。
［Ｃ３１］
選択的に走査するための前記手段が、前記アドホック通信ネットワークに関する可用性窓の外でメッセージを受信することによって、他のアドホックネットワークを選択的に走査する、Ｃ２３に記載のデバイス。
［Ｃ３２］
選択的に走査するための前記手段が、前記可用性窓の外で受信された特定の発見パケットまたは他のメッセージが構成データによって定義された基準に整合するかどうかを決定する、Ｃ３１に記載のデバイス。
［Ｃ３３］
選択的に走査するための前記手段が、前記選択的に走査することを前記デバイスの残りのバッテリー寿命に基づかせるように構成される、Ｃ２３に記載のデバイス。
［Ｃ３４］
実行されたとき、プロセッサにアドホック通信ネットワーク内でリーフデバイスによるワイヤレス通信の方法を実行させる命令を備える非一時的コンピュータ可読媒体であって、前記方法が、
メッセージが転送された回数を識別する前記メッセージを前記アドホック通信ネットワークから受信することと、
前記識別された数に基づいて、他のアドホックネットワークを選択的に走査することとを備える、非一時的コンピュータ可読媒体。
［Ｃ３５］
前記識別された数が最大ホップ数以上である場合、前記選択的走査が実行される、Ｃ３４に記載の非一時的コンピュータ可読媒体。
［Ｃ３６］
前記受信されたメッセージが転送された前記回数を増分することと、前記識別された数が最大ホップ数未満である場合、前記受信されたメッセージを転送することとをさらに備える、Ｃ３４に記載の非一時的コンピュータ可読媒体。
［Ｃ３７］
前記識別された数が最大ホップ数以上である場合、前記メッセージを転送しないことをさらに備える、Ｃ３４に記載の非一時的コンピュータ可読媒体。
［Ｃ３８］
前記方法が、前記選択的走査に基づいて、第２のアドホックネットワークに加入することをさらに備える、Ｃ３４に記載の非一時的コンピュータ可読媒体。
［Ｃ３９］
前記識別された回数が最大ホップ数以上である場合、前記デバイスが前記アドホックネットワークのリーフデバイスである、Ｃ３４に記載の非一時的コンピュータ可読媒体。
［Ｃ４０］
前記受信されたメッセージがルートデバイスによって送信された同期メッセージを備える、Ｃ３４に記載の非一時的コンピュータ可読媒体。
［Ｃ４１］
選択的に走査するかどうかがさらに構成データに基づく、Ｃ３４に記載の非一時的コンピュータ可読媒体。
［Ｃ４２］
他のアドホックネットワークを選択的に走査することが、前記アドホック通信ネットワークに関する可用性窓の外でメッセージを受信することを備える、Ｃ３４に記載の非一時的コンピュータ可読媒体。
［Ｃ４３］
他のアドホックネットワークを選択的に走査することが、前記可用性窓の外で受信された特定の発見パケットまたは他のメッセージが構成データによって定義された基準に整合するかどうかを決定することをさらに備える、Ｃ４２に記載の非一時的コンピュータ可読媒体。
［Ｃ４４］
アドホックネットワーク上のワイヤレス通信の方法であって、
第１のデバイスによって、第１のアドホックネットワークのルートデバイスの位置を識別するメッセージを受信することと、
前記第１のデバイスによって、前記第１のデバイスの位置を決定することと、
前記第１のデバイスによって、前記第１のデバイスの前記位置および前記ルートデバイスの前記位置に基づいて、他のアドホックネットワークを選択的に走査することとを備える方法。
［Ｃ４５］
前記第１のデバイスと前記ルートデバイスとの間の距離がしきい値距離を超える場合、前記選択的走査が実行される、Ｃ４４に記載の方法。
［Ｃ４６］
前記選択的走査の結果として、第２のアドホックネットワークに加入することをさらに備える、Ｃ４５に記載の方法。
［Ｃ４７］
前記第２のアドホックネットワークに関する窓スケジュールを決定することと、
前記第１のアドホックネットワーク上で発見メッセージを送信することと、前記発見メッセージは前記窓スケジュールを示す
をさらに備える、Ｃ４６に記載の方法。
［Ｃ４８］
前記選択的に走査することがさらに前記第１のデバイスの残りのバッテリー寿命に基づいている、Ｃ４４に記載の方法。
［Ｃ４９］
アドホックネットワーク上のワイヤレス通信のための装置であって、
第１のアドホックネットワークのルートデバイスの位置を識別するメッセージを受信するように構成された受信機と、
前記第１のデバイスの位置を決定するように構成されたプロセッサと、
前記第１のデバイスの前記位置および前記ルートデバイスの前記位置に基づいて、他のアドホックネットワークを選択的に走査するように構成されたプロセッサとを備える装置。
［Ｃ５０］
前記第１のデバイスと前記ルートデバイスとの間の距離がしきい値距離を超える場合、前記選択的走査が実行される、Ｃ４９に記載の装置。
［Ｃ５１］
前記選択的走査の結果として、第２のアドホックネットワークに加入するように構成されたプロセッサをさらに備える、Ｃ５０に記載の装置。
［Ｃ５２］
前記第２のアドホックネットワークに関する窓スケジュールを決定するように構成されたプロセッサと、
前記第１のアドホックネットワーク上で発見メッセージを送信するように構成された送信機と、前記発見メッセージは前記窓スケジュールを示す
をさらに備える、Ｃ５１に記載の装置。
［Ｃ５３］
前記プロセッサが、前記装置の残りのバッテリー寿命に基づいて、選択的に走査するようにさらに構成される、Ｃ４６に記載の装置。
［Ｃ５４］
アドホックネットワーク上のワイヤレス通信のための装置であって、
第１のアドホックネットワークのルートデバイスの位置を識別するメッセージを受信するための手段と、
前記第１のデバイスの位置を決定するための手段と、
前記第１のデバイスの前記位置および前記ルートデバイスの前記位置に基づいて、他のアドホックネットワークを選択的に走査するための手段とを備える装置。
［Ｃ５５］
前記第１のデバイスと前記ルートデバイスとの間の距離がしきい値距離を超える場合、前記選択的走査が実行される、Ｃ５４に記載の装置。
［Ｃ５６］
前記選択的走査の結果として、第２のアドホックネットワークに加入するための手段をさらに備える、Ｃ５５に記載の装置。
［Ｃ５７］
前記第２のアドホックネットワークに関する窓スケジュールを決定するための手段と、
前記第１のアドホックネットワーク上で発見メッセージを送信するための手段と、前記発見メッセージは前記窓スケジュールを示す
をさらに備える、Ｃ５６に記載の装置。
［Ｃ５８］
選択的に走査するための前記手段が、前記装置の残りのバッテリー寿命に基づいて、選択的に走査するように構成される、Ｃ５６に記載の装置。
［Ｃ５９］
実行されたとき、プロセッサにアドホックネットワーク上でワイヤレス通信の方法を実行させる命令を備える非一時的コンピュータ可読媒体であって、前記方法が、
第１のデバイスによって、第１のアドホックネットワークのルートデバイスの位置を識別するメッセージを受信することと、
前記第１のデバイスによって、前記第１のデバイスの位置を決定することと、
前記第１のデバイスによって、前記第１のデバイスの前記位置および前記ルートデバイスの前記位置に基づいて、他のアドホックネットワークを選択的に走査することとを備える、非一時的コンピュータ可読媒体。
［Ｃ６０］
前記第１のデバイスと前記ルートデバイスとの間の距離がしきい値距離を超える場合、前記選択的走査が実行される、Ｃ５９に記載の非一時的コンピュータ可読媒体。
［Ｃ６１］
前記方法が、前記選択的走査の結果として、第２のアドホックネットワークに加入することをさらに備える、Ｃ６０に記載の非一時的コンピュータ可読媒体。
［Ｃ６２］
前記方法が、
前記第２のアドホックネットワークに関する窓スケジュールを決定することと、
前記第１のアドホックネットワーク上で発見メッセージを送信することと、前記発見メッセージは前記窓スケジュールを示す
をさらに備える、Ｃ６１に記載の非一時的コンピュータ可読媒体。
［Ｃ６３］
前記選択的に走査することが残りのバッテリー寿命に基づいている、Ｃ６１に記載の非一時的コンピュータ可読媒体。
［Ｃ６４］
アドホックネットワーク上のワイヤレス通信の方法であって、
デバイスによって、前記アドホックネットワークに加入することと、
前記デバイスによって、第２のアドホックネットワークに関する窓スケジュールを決定することと、
前記デバイスによって、前記第１のアドホックネットワーク上で発見メッセージを送信することと、前記発見メッセージは前記窓スケジュールを示す
を備える方法。
［Ｃ６５］
前記デバイスによって、第３のアドホックネットワークに関する第２の窓スケジュールを決定することをさらに備え、ここにおいて、前記発見メッセージは前記第２の窓スケジュールを示す、Ｃ６４に記載の方法。
［Ｃ６６］
アドホックネットワーク上のワイヤレス通信のための装置であって、
前記アドホックネットワークに加入するように構成されたプロセッサと、
第２のアドホックネットワークに関する窓スケジュールを決定するように構成されたプロセッサと、
前記第１のアドホックネットワーク上で発見メッセージを送信するように構成された送信機と、前記発見メッセージは前記窓スケジュールを示す
をさらに備える装置。
［Ｃ６７］
第３のアドホックネットワークに関する第２の窓スケジュールを決定するように構成されたプロセッサをさらに備え、ここにおいて、前記送信機は、前記第２の窓スケジュールをさらに示す前記発見メッセージを送信するように構成される、Ｃ６６に記載の装置。
［Ｃ６８］
アドホックネットワーク上のワイヤレス通信のための装置であって、
前記アドホックネットワークに加入するための手段と、
第２のアドホックネットワークに関する窓スケジュールを決定するための手段と、
前記第１のアドホックネットワーク上で発見メッセージを送信するための手段と、前記発見メッセージは前記窓スケジュールを示すを備える装置。
［Ｃ６９］
第３のアドホックネットワークに関する第２の窓スケジュールを決定するための手段をさらに備え、ここにおいて、送信するための前記手段は、前記第２の窓スケジュールをさらに示す前記発見メッセージを送信するように構成される、Ｃ６８に記載の装置。
［Ｃ７０］
実行されたとき、プロセッサにアドホックネットワーク上のワイヤレス通信の方法を実行させる命令を備える非一時的コンピュータ可読媒体であって、前記方法が、
前記アドホックネットワークに加入することと、
第２のアドホックネットワークに関する窓スケジュールを決定することと、
前記第１のアドホックネットワーク上で発見メッセージを送信することと、前記発見メッセージは前記窓スケジュールを示す
を備える、非一時的コンピュータ可読媒体。
［Ｃ７１］
前記方法が、第３のアドホックネットワークに関する第２の窓スケジュールを決定することをさらに備え、ここにおいて、前記発見メッセージは第２の窓スケジュールを示す、Ｃ７０に記載の非一時的コンピュータ可読媒体。